(57)【要約】      （修正有）【課題】玄武岩繊維鉱石洗浄機を提供する。【解決手段】玄武岩繊維鉱石洗浄機は底板１を含み、底板の頂面の中部に矩形状の溝２が開設され、矩形状の溝の内壁の右側に回転ロッド３が回転可能に接続され、回転ロッドの右端が底板の右側まで延伸しかつモータが固定的に接続され、モータの側面が底板の右側に固定的に接続され、回転ロッドの側面の中部の左右両側にそれぞれ回転スリーブが固定的に嵌設され、２つの回転スリーブの側面にそれぞれ円形柱が固定的に接続される。モータにより回転ロッドと回転スリーブを回転させ、円形柱とカップリングバーを回転ロッドを中心として回転させ、連動ブロック９と円形スリーブを上下に移動させて、円形スリーブの頂面が底板の底面にぶつかり、底板が振動し、底板の振動により玄武岩鉱石中の泥や小石などの不純物を取り除き、玄武岩から抽出された繊維の品質を向上させる。【選択図】図１
0003233993.tif 000002
【実用新案登録請求の範囲】
【請求項１】
底板（１）を含む玄武岩繊維鉱石洗浄機であって、前記底板（１）の頂面の中部に矩形状の溝（２）が開設され、前記矩形状の溝（２）の内壁の右側に回転ロッド（３）が回転可能に接続され、前記回転ロッド（３）の右端が底板（１）の右側まで延伸しかつモータ（４）が接続され、前記モータ（４）の側面が底板（１）の右側に接続され、前記回転ロッド（３）の側面の中部の左右両側にそれぞれ回転スリーブ（５）が嵌設され、２つの前記回転スリーブ（５）の側面にそれぞれ円形柱（６）が接続され、前記円形柱（６）の側面の中部にカップリングバー（７）が嵌設され、前記カップリングバー（７）の側面に円形ロッド（８）がヒンジで接続され、前記円形ロッド（８）の左右両端に連動ブロック（９）が回転可能に接続され、前記連動ブロック（９）の頂面に円形スリーブ（１０）が接続され、前記円形スリーブ（１０）の内壁の側面に円形溝（１１）が開設され、
前記底板（１）の頂面の左右両側にそれぞればね（１５）が接続され、前記ばね（１５）の頂端に洗浄ボックス（１３）が接続され、前記洗浄ボックス（１３）の底面の中部に接続ロッド（１４）が接続され、前記接続ロッド（１４）の側面の下側に圧縮ばね（１２）が嵌設され、前記接続ロッド（１４）の底端にスライダー（１６）が接続され、前記スライダー（１６）の側面が円形溝（１１）の内壁の側面に摺動可能に接続される、ことを特徴とする玄武岩繊維鉱石洗浄機。
【請求項２】
前記洗浄ボックス（１３）の内壁の底面は傾斜面であり、前記洗浄ボックス（１３）の左側の下に２つの漏れ孔が開設され、２つの漏れ孔の内壁の側面にそれぞれプラグが可動に挿通される、ことを特徴とする請求項１に記載の玄武岩繊維鉱石洗浄機。
【請求項３】
前記回転ロッド（３）の右側に軸受が嵌設され、軸受の外輪が底板（１）の右側に接続される、ことを特徴とする請求項１に記載の玄武岩繊維鉱石洗浄機。
【請求項４】
前記洗浄ボックス（１３）の内壁の側面の上側に篩ボックスが接続される、ことを特徴とする請求項１に記載の玄武岩繊維鉱石洗浄機。
【請求項５】
前記圧縮ばね（１２）の直径は円形溝（１１）の直径と等しいである、ことを特徴とする請求項１に記載の玄武岩繊維鉱石洗浄機。
【請求項６】
前記底板（１）の底面にゴムが接着される、ことを特徴とする請求項１に記載の玄武岩繊維鉱石洗浄機。
【考案の詳細な説明】
【技術分野】
【０００１】
本考案は、洗浄装置の技術分野に関し、特に玄武岩繊維鉱石洗浄機に関する。
【背景技術】
【０００２】
玄武岩繊維は、玄武岩鉱石を１４５０℃〜１５００℃で熔融した後、白金・ロジウム合金引き出しブッシングによって高速に引き出された連続繊維であり、高強度ガラス繊維と同等の強度を有する。
【０００３】
現在、市販されている玄武岩鉱石洗浄機には、スプレーで玄武岩鉱石を洗浄するものがあり、玄武岩鉱石自体にさまざまな隙間があるため、鉱石の隙間に泥や小石などの不純物が残り、玄武岩鉱石の洗浄過程中、玄武岩の隙間内にある泥や小石などの不純物の去除が困難であり、玄武岩から抽出された繊維の品質が低く、玄武岩鉱石の特性により、洗浄後玄武岩鉱石の表面と内壁の隙間に少量の水分が残り、玄武岩鉱石を乾燥ため余分な時間がかかるため、玄武岩鉱石の加工効率が低下する。
【考案の概要】
【考案が解決しようとする課題】
【０００４】
本考案の目的は、従来技術における、玄武岩鉱石の洗浄過程中、玄武岩の隙間内にある泥や小石などの不純物の去除が困難であり、玄武岩から抽出された繊維の品質が低く、玄武岩鉱石の特性により、洗浄後玄武岩鉱石の表面と内壁の隙間に少量の水分が残り、玄武岩鉱石を乾燥ため余分な時間がかかるため、玄武岩鉱石の加工効率が低下するという欠点を解決するための玄武岩繊維鉱石洗浄機を提供することである。
【課題を解決するための手段】
【０００５】
上記の目的を達成するために、本考案は、以下の技術的解決策を採用している。
【０００６】
玄武岩繊維鉱石洗浄機は、底板を含み、前記底板の頂面の中部に矩形状の溝が開設され、前記矩形状の溝の内壁の右側に回転ロッドが回転可能に接続され、前記回転ロッドの右端が底板の右側まで延伸しかつモータが固定的に接続され、前記モータの側面が底板の右側に固定的に接続され、前記回転ロッドの側面の中部の左右両側にそれぞれ回転スリーブが固定的に嵌設され、２つの前記回転スリーブの側面にそれぞれ円形柱が固定的に接続され、前記円形柱の側面の中部にカップリングバーが固定的に嵌設され、前記カップリングバーの側面に円形ロッドがヒンジで接続され、前記円形ロッドの左右両端に連動ブロックが回転可能に接続され、前記連動ブロックの頂面に円形スリーブが固定的に接続され、前記円形スリーブの内壁の側面に円形溝が開設される。
【０００７】
前記底板の頂面の左右両側にそれぞればねが固定的に接続され、前記ばねの頂端に洗浄ボックスが固定的に接続され、前記洗浄ボックスの底面の中部に接続ロッドが固定的に接続され、前記接続ロッドの側面の下側に圧縮ばねが固定的に嵌設され、前記接続ロッドの底端にスライダーが固定的に接続され、前記スライダーの側面が円形溝の内壁の側面に摺動可能に接続される。
【０００８】
好ましくは、前記洗浄ボックスの内壁の底面は傾斜面であり、前記洗浄ボックスの左側の下側に２つの漏れ孔が開設され、２つの漏れ孔の内壁の側面にプラグが可動に挿通され、なお、底面が傾斜面である洗浄ボックスにより、漏れ孔を介して泥、小石や廃水などの不純物を排出することができる。
【０００９】
好ましくは、前記回転ロッドの右側に軸受が固定的に嵌設され、軸受の外輪が底板の右側に固定的に接続され、なお、軸受により回転ロッドが回転する時の摩擦力を低減する。
【００１０】
好ましくは、前記洗浄ボックスの内壁の側面の上側に篩ボックスが固定的に接続され、なお、篩ボックスにより玄武岩の隙間中の泥を洗浄ボックスの底面に篩かけることができる。
【００１１】
好ましくは、前記圧縮ばねの直径は円形溝の直径と等しく、なお、円形溝により、圧縮ばねが円形スリーブを通じて飛ばしないように、圧縮ばねを制限する。
【００１２】
好ましくは、前記底板の底面にゴムが接着され、なお、ゴムにより運転中の玄武岩洗浄機の安定性を向上させる。
【考案の効果】
【００１３】
従来技術と比べると、本考案は以下の有益な効果を有する。
本考案は、モータにより回転ロッドと回転スリーブを回転させ、円形柱とカップリングバーを回転ロッドを中心として回転させ、連動ブロックと円形スリーブを上下に移動させて、円形スリーブの頂面が底板の底面にぶつかり、底板が振動し、底板の振動により玄武岩鉱石の隙間内の泥や小石などの不純物を取り除き、玄武岩から抽出された繊維の品質を向上させる。
【００１４】
本考案は、回転ロッドと回転スリーブによりカップリングバーを回転させ、円形ロッドにより連動ブロックと円形スリーブを上下に移動させ、スライダーが圧縮ばねにより円形溝の側面に摺動し、不純物である廃水の取り除き過程中、玄武岩鉱石は常に高周波の振動状態を維持し、玄武岩の表面と隙間内の余分な水分を振って乾かし、玄武岩鉱石の乾燥のため余分な時間が掛かることなく、玄武岩鉱石の加工効率を向上させる。
【図面の簡単な説明】
【００１５】
【図１】本考案の三次元構造の概略図である。
【図２】本考案の三次元構造の一部概略図である。
【図３】本考案の三次元構造の一部断面図である。
【符号の説明】
【００１６】
１      底板
２      矩形状の溝
３      回転ロッド
４      モータ
５      回転スリーブ
６      円形柱
７      カップリングバー
８      円形ロッド
９      連動ブロック
１０    円形スリーブ
１１    円形溝
１２    圧縮ばね
１３    洗浄ボックス
１４    接続ロッド
１５    ばね
１６    スライダー
【考案を実施するための形態】
【００１７】
本考案の説明において、「上」、「下」、「前」、「後」、「左」、「右」、「頂」、「底」、「内」、「外」などの用語によって示される方位または位置関係は、図面に示す方位または位置関係に基づいて、本考案の説明および説明の簡略化のためのものであり、かかる装置またはデバイスは必ず特定の方位を持ち、特定の方位で構成および操作されなければならず、本考案の制限として理解することはできない。
【００１８】
図１〜図３を参照して、玄武岩繊維鉱石洗浄機は底板１を含み、底板１の底面にゴムが接着され、底板１の頂面の中部に矩形状の溝２が開設され、矩形状の溝２の内壁の右側に回転ロッド３が回転可能に接続され、回転ロッド３の右側に軸受が固定的に嵌設され、軸受の外輪が底板１の右側に固定的に接続され、回転ロッド３の右端が底板１の右側まで延伸しかつモータ４が固定的に接続され、モータ４の側面が底板１の右側に固定的に接続され、回転ロッド３の側面の中部の左右両側にそれぞれ回転スリーブ５が固定的に嵌設され、２つの回転スリーブ５の側面にそれぞれ円形柱６が固定的に接続され、円形柱６の側面の中部にカップリングバー７が固定的に嵌設され、カップリングバー７の側面に円形ロッド８がヒンジで接続され、円形ロッド８の左右両端に連動ブロック９が回転可能に接続され、連動ブロック９の頂面に円形スリーブ１０が固定的に接続され、モータ４によって回転ロッド３と回転スリーブ５を回転させ、円形柱６とカップリングバー７を回転ロッド３を中心しとして回転させ、連動ブロック９と円形スリーブ１０を上下に移動し、円形スリーブ１０の頂面が底板１の底面にぶつかり、底板１が振動し、底板１の振動により玄武岩鉱石の隙間内の泥や小石などの不純物を取り除き、玄武岩から抽出された繊維の品質を向上させ、円形スリーブ１０の内壁の側面に円形溝１１が開設される。
【００１９】
底板１の頂面の左右両側にそれぞればね１５が固定的に接続され、ばね１５の頂端に洗浄ボックス１３が固定的に接続され、洗浄ボックス１３の内壁の底面は傾斜面であり、洗浄ボックス１３の左側の下側に２つの漏れ孔が開設され、２つの漏れ孔の内壁の側面にそれぞれプラグが可動に挿通され、洗浄ボックス１３の内壁の側面の上側に篩ボックスが固定的に接続され、洗浄ボックス１３の底面の中部に接続ロッド１４が固定的に接続され、接続ロッド１４の側面の下側に圧縮ばね１２が固定的に嵌設され、圧縮ばね１２の直径は円形溝１１の直径と等しく、接続ロッド１４の底端にスライダー１６が固定的に接続され、回転ロッド３と回転スリーブ５によりカップリングバー７を回転させ、円形ロッド８により連動ブロック９と円形スリーブ１０を上下に移動させ、スライダー１６が圧縮ばね１２によって円形溝１１の側面に摺動し、不純物である廃水の取り除き過程中、玄武岩鉱石は常に高周波の振動状態を維持し、玄武岩の表面と隙間内の余分な水分を振って乾かし、玄武岩鉱石の乾燥のため余分な時間がかかることなく、玄武岩鉱石の加工効率を向上させ、スライダー１６の側面が円形溝１１内壁の側面に摺動可能に接続される。
【００２０】
本考案において、ユーザがこの装置を使用する時、モータ４を始動させることで回転ロッド３と回転スリーブ５を回転させ、円形柱６とカップリングバー７を回転ロッド３を中心として回転させ、連動ブロック９と円形スリーブ１０を上下に移動させ、円形スリーブ１０が最上方に移動すると底板１の底面にぶつかり、底板１が振動し、底板１の振動により玄武岩鉱石の隙間内の泥や小石などの不純物を取り除き、玄武岩から抽出された繊維の品質を向上させ、回転ロッド３と回転スリーブ５によりカップリングバー７を回転させる。円形ロッド８により連動ブロック９と円形スリーブ１０を上下に移動させ、洗浄ボックス１３の底面の中部に接続ロッド１４が固定的に接続され、接続ロッド１４の側面に圧縮ばね１２が嵌設され、スライダー１６は圧縮ばね１２を介して円形溝１１の側面に摺動し、底板の頂面の左右両側にそれぞればね１５が固定的に接続され、不純物である廃水の取り除き過程中、玄武岩鉱石は常に高周波の振動状態を維持し、不純物である廃水の取り除き過程中、玄武岩の表面と隙間内の余分な水分を振って乾かし、玄武岩鉱石の乾燥のため余分な時間がかかることなく、玄武岩鉱石の加工効率を向上させる。
【図１】
0003233993.tif 000003
【図２】
0003233993.tif 000004
【図３】
0003233993.tif 000005